(57)【要約】【課題】防犯性及び意匠性を向上させることができるドア装置を提供する。【解決手段】建物の壁面パネル１０の開口壁面部１１にドア装置２０を設ける。ドア装置２０は引戸２１を備える。戸先側の開口壁面部１１には、施錠可能な保護プレート１２が設けられている。この保護プレート１２は、施錠可能であり、開口壁面部１１の内部に設けられた操作ボックスをカバーする。この操作ボックス内に、引戸２１を解錠するためのサムターンを設ける。【選択図】図１
2015059392.tif 000002
【特許請求の範囲】
【請求項１】
壁の開口部に設けられる枠部と、
前記枠部に開閉可能に設けられた扉と、
前記枠部に前記扉の解錠を行なう操作部とを備え、
前記開口部の側面にカバーを設けた内部空間を設け、
前記操作部を前記内部空間に設けたことを特徴とするドア装置。
【請求項２】
前記カバーを施錠するための施錠部を、前記内部空間に設けたことを特徴とする請求項１に記載のドア装置。
【請求項３】
前記操作部はサムターンであって、
前記サムターンの操作により、前記枠部から突出するデッドボルトを設け、
前記扉には、前記デッドボルトが係合する受座を設けたことを特徴とする請求項１又は２に記載のドア装置。
【請求項４】
前記扉は引き戸であることを特徴とする請求項１〜３のいずれか一項に記載のドア装置。
【発明の詳細な説明】
【技術分野】
【０００１】
本発明は、ドア装置に係り、特に電気錠又は手動錠を配置したドア装置に関する。
【背景技術】
【０００２】
建物の壁に開口部には、多様なドア装置が設けられている。また、施錠可能なドア装置も検討されている。例えば、出入口扉に設けられている扉錠は、屋外側からは合鍵によるシリンダの操作によって扉錠のデッドボルトを出没作動して施解錠し、屋内側からはサムターンの摘みの回転操作によって施解錠が行なえるものもある。
【０００３】
また、防犯性の向上を目的として、施工性及びメンテナンス性の向上を考慮したドア装置も検討されている（例えば、特許文献１参照）。この文献に記載されたドア装置においては、建物の開口部に設けられる枠と、枠に開閉可能に設けられた扉とを備える。枠又は枠に設けられた袖部に電気錠又は手動錠を設け、扉に前記電気錠又は手動錠のデッドボルトが係合する受座を設けている。枠又は袖部の室内面に凹部を設け、凹部に電気錠又は手動錠を室内側から施解錠するサムターンを設けている。
【先行技術文献】
【特許文献】
【０００４】
【特許文献１】特開２００６−２１４１７３号公報
【発明の概要】
【発明が解決しようとする課題】
【０００５】
更に、防犯性向上のため、施解錠を遠隔操作できるように、電気的に施解錠をする機構を組み込んだ電気錠（ロックシステム）を用いる場合もある。しかしながら、電気錠の場合、停電時には使用することができない。一方、サムターンを用いる場合には、停電時にも使用することができるが、扉前面にサムターンを設置した場合、意匠性を損なう可能性がある。また、不用意にサムターンを操作された場合には、防犯性の課題が生じることもある。
【０００６】
本発明は、上述の課題に鑑みてなされ、その目的は、防犯性及び意匠性を向上させることができるドア装置を提供することにある。
【課題を解決するための手段】
【０００７】
（１）上記課題を解決するためのドア装置においては、壁の開口部に設けられる枠部と、前記枠部に開閉可能に設けられた扉と、前記枠部に前記扉の解錠を行なう操作部とを備え、前記開口部の側面にカバーを設けた内部空間を設け、前記操作部を前記内部空間に設けたことを特徴とする要旨とする。これにより、ドア装置の前面から判別しにくい位置に操作部を配置することができるので、外部からみた意匠性や防犯性を向上させることができる。
【０００８】
（２）上記ドア装置においては、更に、前記カバーを施錠するための施錠部を、前記内部空間に設けたことが好ましい。これにより、鍵を有する管理者のみが解錠することができ、防犯性を高めることができる。
【０００９】
（３）上記ドア装置においては、更に、前記操作部はサムターンであって、前記サムターンの操作により、前記枠部から突出するデッドボルトを設け、前記扉には、前記デッドボルトが係合する受座を設けたことが好ましい。これにより、緊急時には、サムターンを利用することにより、扉を開放することできる。
【００１０】
（４）上記ドア装置においては、更に、前記扉は引き戸であることが好ましい。これにより、扉の開放時に扉が前面に出てくることがなく、操作部における操作の障害とならない。
【発明の効果】
【００１１】
本発明によれば、ドア装置において、防犯性及び意匠性を向上させることができる。
【図面の簡単な説明】
【００１２】
【図１】本実施形態のドア装置の斜視図。
【図２】本実施形態のドア装置の正面図であって、（ａ）は個室内側、（ｂ）は個室外側からの正面図。
【図３】図２（ａ）のＡ−Ａ線概略断面図。
【図４】本実施形態のドア装置の戸先近傍の説明図。
【図５】図４の保護プレートのＢ矢視図。
【図６】図５のＣ−Ｃ線概略断面図。
【図７】本実施形態のサムターンの説明図であって、（ａ）は通常解錠時、（ｂ）は通常施錠時、（ｃ）は非常解錠時の説明図。
【発明を実施するための形態】
【００１３】
以下、図１〜図７に従って、一実施形態を説明する。本実施形態では、公共的に利用され、施錠可能な個室（例えば、多目的トイレ室）に用いるドア装置に使用する場合を想定する。
【００１４】
図１は、ドア装置２０を個室外側から見た斜視図を示す。建物の壁が壁面パネル１０により構成されており、ドア装置２０は壁の開口部に形成されている。壁の開口部の側面は、開口壁面部１１によって囲まれている。このドア装置２０は、上枠や下枠に設けられた溝やレールに案内され、左右にスライドして開閉する引戸２１を備える。この引戸２１には、開閉操作するための把手２２ａが設けられている。引戸２１本体は、例えば方形に組まれる芯材の表面及び裏面に金属製の面材を張設して構成されている。本実施形態では、壁面パネル１０の個室内側の前面に対して、引戸２１の前面が奥まった位置に配置される。このため、開口された側面の開口壁面部１１は、壁面パネル１０の前面に対して、所定の角度（例えば９０度）で屈曲させて配置される。
【００１５】
また、ドア装置２０の上方の壁面パネル１０には、使用時ランプ３１、非常時ランプ３２が設けられている。この使用時ランプ３１は、個室内側から施錠された場合に点灯する。また、非常時ランプ３２は、個室内で非常ボタン（図示せず）が押下された場合に点灯する。
【００１６】
また、戸先側の開口壁面部１１には、操作ボックス１６をカバーする保護プレート１２が設けられている。この保護プレート１２は、後述するように、施錠可能であり、開閉操作できる。本実施形態では、保護プレート１２は、開口壁面部１１と面一にして、同色で塗装されている。この保護プレート１２によって閉じられた凹部空間には、後述するように、非常時にドア装置２０を解錠するために使用する電気錠のサムターンが隠蔽されている。
【００１７】
図２（ａ）はドア装置２０を個室内側から見た正面図である。図２（ａ）に示すように、引戸２１には、個室内側から開閉操作するための把手２２ｂが設けられている。引戸２１は、戸袋を構成するパネル１５ａ、引戸２１の上方の壁を構成するパネル１５ｂ、戸尻側の壁を構成するパネル１５ｃ、戸先側の壁を構成するパネル１５ｄにより囲まれている。パネル１５ｂは開閉可能であり、ランプメンテ開口部１５ｂ１が設けられている。戸先側のパネル１５ｄには、個室内において、引戸２１を施解錠するためのサムターン３０が設けられている。
【００１８】
図２（ｂ）は個室外側から見た正面図である。図２（ａ）に示すサムターン３０が配置された位置には、図２（ｂ）に示すように、壁面パネル１０が設けられている。
【００１９】
図３は、ドア装置２０のＡ−Ａ線概略断面図である。壁面パネル１０は、剛性の高い角形鋼管柱１３によって支持されたパネル材から構成される。角形鋼管柱１３は、戸先側の壁面パネル１０の背面に立脚された縦枠プレート１１１も支持する。また、戸尻側の壁面パネル１０、パネル１５ａ，１５ｃにより囲まれた領域には、ドア装置２０の開放時に、引戸２１を戸尻側からスライド収納させる戸尻収納部１４が設けられている。
引戸２１には緩衝材２５が設けられている。この緩衝材２５は、引戸２１を閉じた場合、ドア装置２０のパネル１５ｄに設けられた枠部２４に当接する。
戸先側の壁面パネル１０と角形鋼管柱１３、枠部２４に囲まれた、開口壁面部１１の内部空間には、操作ボックス１６が設けられている。この操作ボックス１６内において、電気錠のサムターンを操作することができる。
【００２０】
図４は、ドア装置２０の戸先側にある電気錠部分の詳細図である。戸先側の壁面パネル１０の背面、開口壁面部１１に囲まれた領域には、保護プレート１２に対面する位置に、縦枠プレート１１１が設けられている。そして、壁面パネル１０、縦枠プレート１１１、保護プレート１２、枠部２４に囲まれた空間で、サムターンが配置された位置に、操作ボックス１６が設けられる。
【００２１】
操作ボックス１６内には、解錠を行なう操作部として、摘み３１ａ、台座３２ａからなるサムターンが配置されている。一方、個室内側においては、サムターン３０は、摘み３１ｂ、台座３２ｂから構成される。
更に、操作ボックス１６内には、プレート施錠部４０が設けられている。このプレート施錠部４０により、保護プレート１２を施錠することができる。
【００２２】
図５は、図４の矢視Ｂにおける正面図である。保護プレート１２は、操作ボックス１６の上方に、蝶番１２ａにより取り付けられている。この保護プレート１２は、蝶番１２ａを介して回動し、開閉可能になる。
【００２３】
更に、保護プレート１２の下方には、プレートを折り返して形成された溝部１２ｂが設けられている。また、保護プレート１２の下方と開口壁面部１１の端部との隙間には、プレート施錠部４０の鍵穴４１が設けられている。鍵穴４１に所定の施解錠（例えば、施設管理者が保管する鍵）を挿入することにより、プレート施錠部４０（図４）を動作させることができる。
【００２４】
また、パネル１５ｄ、枠プレート１６ａからなる枠部２４内には、サムターン３０を備えた錠ケース３３が設けられている。この錠ケース３３内には、サムターン３０の摘み３１ａ，３１ｂを連結させるシリンダ３３ａの回転に連動する鎌片３３ｂが設けられている。この鎌片３３ｂは、施錠に用いるデッドボルトとして機能する。
【００２５】
図６に示すように、蝶番１２ａにより、保護プレート１２を回動させることにより、操作ボックス１６を開放することできる。
また、シリンダ４２には、鍵穴４１に連動する回転軸４３が設けられている。更に、回転軸４３にはフック部４４が接続されている。鍵穴４１に挿入された施解錠を所定方向に回動させることにより、回転軸４３が回動され、フック部４４は、溝部１２ｂに嵌合し、保護プレート１２の回動を抑制する。一方、鍵穴４１に挿入された施解錠を反対方向に回動させることにより、回転軸４３が回動され、フック部４４は、溝部１２ｂとの嵌合が外れ、保護プレート１２を開放することができる。
【００２６】
次に、図７を用いて、サムターンの操作を説明する。個室が利用されていない解錠時には、図７（ａ）に示すように、鎌片３３ｂは錠ケース３３内に収納される。
個室を利用する場合には、引戸２１を開けて、個室内に入る。そして、図７（ｂ）に示すように、サムターン３０の摘み３１ｂを、施錠方向（本実施形態では、横向き方向）に回動させることにより、鎌片３３ｂを錠ケース３３から突出する。この場合、引戸２１に設けられた受座（図示せず）に、鎌片３３ｂを嵌合させることにより、施錠することができる。この場合、サムターン３０の操作に応じて、使用時ランプ３１が点灯する。
【００２７】
個室から出る場合には、サムターン３０の摘み３１ｂを、解錠方向（本実施形態では、縦向き方向）に回動させることにより、図７（ａ）に示すように、鎌片３３ｂが錠ケース３３に収納された状態に戻し、引戸２１を開放可能にする。この場合、サムターン３０の操作に応じて、使用時ランプ３１が消灯する。
【００２８】
一方、非常時ランプ３２が点灯する等、非常事態が生じている判断された場合には、個室外から施解錠を鍵穴４１に挿入し、プレート施錠部４０により保護プレート１２を解錠する。保護プレート１２を開放することにより、外部から、操作ボックス１６内のサムターン３０が操作可能になる。そして、図７（ｃ）に示すように、サムターン３０の摘み３１ａを、解錠方向に回動させることにより、鎌片３３ｂを錠ケース３３に収納し、引戸２１を開放可能にする。
【００２９】
本実施形態によれば、以下のような効果を得ることができる。
（１）本実施形態では、操作ボックス１６内にサムターンが配置される。この操作ボックス１６は、開閉可能な保護プレート１２によって閉じられる。これにより、通常時には、サムターン３０の摘み３１ｂが外部に露出することなく、意匠性を担保することできる。更に、保護プレート１２は、壁面パネル１０の前面に対して所定の角度で形成された開口壁面部１１に配置されている。そして、保護プレート１２は、開口壁面部１１と面一にして、同色で塗装されているので、ドア装置２０の正面（個室外側）から見え難くなっている。これにより、更に意匠性の向上を図ることができる。
【００３０】
また、摘み３１ａの前面は、壁面パネル１０で覆われており、保護プレート１２が開放された場合にも、サムターン３０の側面からのみ操作可能となる。これにより、サムターン３０の正面から、不正な操作や破壊等を抑制し、防犯性を向上させることができる。
【００３１】
（２）本実施形態では、壁面パネル１０の操作ボックス１６内にサムターン３０が設けられている。これにより、停電時にもサムターン３０を用いて手動で解錠できる。
（３）本実施形態では、ドア装置２０には引戸２１を用いる。引戸２１は左右のスライドにより開閉操作するため、保護プレート１２を開放した場合にも、引戸２１の開閉軌跡と干渉せず、円滑にドア装置２０を開放することできる。
【００３２】
（４）本実施形態では、また、保護プレート１２の下方と開口壁面部１１との隙間には、鍵穴４１が設けられている。外部から見え難い位置に、鍵穴４１が設けられているため、意匠性や防犯性の向上を図ることができる。
【００３３】
また、上記各実施形態は、以下のように変更してもよい。
・上記実施形態においては、ドア装置２０において、横方向にスライドする引戸２１に適用したが、これに限定されるものではない。例えば、枠に蝶番を介して回動する開閉扉に適用することも可能である。この場合には、サムターン３０において、回動によりデッドボルトを突出させて、扉側の受座に挿入させる機構を用いることができる。
【００３４】
・上記実施形態においては、保護プレート１２は、操作ボックス１６の上方に、蝶番１２ａにより取り付けられている。この保護プレート１２の取り付け方は、これに限定されるものではなく、保護プレート１２の下方や各サイドに蝶番１２ａを設けることも可能である。更に、蝶番以外に、例えば吊り金物を用いることも可能である。
【００３５】
・上記実施形態においては、保護プレート１２の下方には、折り返し形状で構成された溝部１２ｂが設けられている。回転軸４３にはフック部４４が接続されている。このフック部４４は、溝部１２ｂに嵌合することにより、保護プレート１２の回動を抑制する。保護プレート１２の回動を抑制する方法は、これに限定されるものはなく、外部から見えにくい施錠方法を用いることができる。
【００３６】
・上記実施形態においては、保護プレート１２は、開口壁面部１１と面一にして、同色で塗装されている。外部から保護プレート１２が判別し難くなる形態であれば、上記形態に限定されるものではない。例えば、開口壁面部１１と、同じパターンの模様を付すことにより、識別困難とすることも可能である。
【００３７】
また、開口壁面部１１は、壁面パネル１０の前面に対して、所定の角度（例えば９０度）で傾斜して接合される。この角度は９０度に限定されるものではなく、前面から保護プレート１２が見にくい角度（個室外から隠蔽される形態）であれば、９０度以下で接合するようにしてもよい。この場合には、保護プレート１２は、壁面パネル１０の影に配置させることができる。
【００３８】
次に、上記実施形態及び別例から把握できる技術的思想について、それらの効果とともに以下に追記する。
（ａ）壁と開口部の側面との角度が、９０度以下で接合したことを特徴とするドア装置。
これにより、前面方向から、カバーの視認を困難になるので、意匠性や防犯性を向上させることができる。
【００３９】
（ｂ）開口部の側面の表面形態と内部空間を隠蔽するカバーの表面形態とが共通していることを特徴とするドア装置。
これにより、前面方向から、カバーの視認を困難になるので、意匠性や防犯性を向上させることができる。
【符号の説明】
【００４０】
１０…壁面パネル、１１…開口壁面部、１２…保護プレート、１２ａ…蝶番、１５ａ〜１５ｄ…パネル、１６ａ…枠プレート、２０…ドア装置、２１…引戸、３０…サムターン、３１ａ，３１ｂ…摘み、３３ａ…シリンダ、３３ｂ…鎌片、２５…緩衝材、４０…プレート施錠部、４１…鍵穴。
【図１】
2015059392.tif 000003
【図２】
2015059392.tif 000004
【図３】
2015059392.tif 000005
【図４】
2015059392.tif 000006
【図５】
2015059392.tif 000007
【図６】
2015059392.tif 000008
【図７】
2015059392.tif 000009